(57)【要約】【課題】  画像形成装置に用いる圧電トランス式高圧電源装置の、出力の立ち上り、立ち下り特性を向上させる制御手段を備えた圧電トランス式高圧電源装置を提供する。【解決手段】  圧電トランス、圧電トランス駆動周波数の発生手段、出力電圧設定手段、出力検出手段、及び出力検出手段からの信号ならびに出力電圧設定手段からの制御信号により出力電圧を制御する出力制御手段から成り、前記出力電圧設定手段の設定値に従って圧電トランス駆動周波数を制御可能な構成であって、前記出力電圧を設定する際に、前記出力電圧を設定する前後の差分より大きい値の出力電圧に一旦設定し、一定時間経過後あるいは、出力電圧を検知して出力電圧を再設定する前後の差分となる出力電圧を設定する制御手段を備えた構成とする。【選択図】  図１
2008224861.tif 000002
【特許請求の範囲】
【請求項１】
像担持体上に静電潜像を形成する潜像形成手段、静電潜像にトナー像を形成する現像手段、トナー像を転写材に転写する転写手段、トナー像を転写された被転写部材にトナーを加熱定着させる定着手段を備える画像形成装置において、
圧電トランス、圧電トランス駆動周波数の発生手段、出力電圧設定手段、出力検出手段、及び出力検出手段からの信号ならびに出力電圧設定手段からの制御信号により出力電圧を制御する出力制御手段から成り、前記出力電圧設定手段の設定値に従って圧電トランス駆動周波数を制御可能な圧電トランス式高圧電源装置を具備し、
前記出力電圧設定手段は、出力電圧を設定する際に、出力電圧を設定する前後の差分より大きい値の出力電圧に一旦設定し、一定時間経過後に出力電圧を設定する前後の差分となる出力電圧を設定する
制御手段を備えることを特徴とする画像形成装置。
【請求項２】
像担持体上に静電潜像を形成する潜像形成手段、静電潜像にトナー像を形成する現像手段、トナー像を転写材に転写する転写手段、トナー像を転写された被転写部材にトナーを加熱定着させる定着手段を備える画像形成装置において、
圧電トランス、圧電トランス駆動周波数の発生手段、出力電圧設定手段、出力検出手段、及び出力検出手段からの信号ならびに出力電圧設定手段からの制御信号により出力電圧を制御する出力制御手段から成り、前記出力電圧設定手段の設定値に従って圧電トランス駆動周波数を制御可能な圧電トランス式高圧電源装置を具備し、
前記出力電圧設定手段は、出力電圧を設定する際に、出力電圧を設定する前後の差分より大きい値の出力電圧に一旦設定し、出力検出手段によって検出した出力電圧が前記目標値へ到達したときに、出力電圧を設定する前後の差分となる出力電圧を設定する
制御手段を備えることを特徴とする画像形成装置。
【請求項３】
前記圧電トランス式高圧電源装置は、前記潜像形成手段、現像手段、転写手段に対し高圧電圧を印加することを特徴とする請求項１あるいは請求項２に記載の画像形成装置。
【発明の詳細な説明】
【技術分野】
【０００１】
本発明は、電子写真プロセスを用いた画像形成装置に関し、特には画像形成装置に用いる圧電トランス式高圧電源装置に関するものである。
【背景技術】
【０００２】
従来から知られている電子写真方式の画像形成装置において、感光体に転写部材を当接させて転写を行う直接転写方式を採る場合、転写部材には導電体の軸を持つローラ状の導電性ゴムを用い、感光体のプロセススピードに合わせ回転駆動させている。そして、転写部材に印加する電圧として、直流バイアス電圧を用いている。この時、直流バイアス電圧の極性は、通常のコロナ放電式の転写電圧と同じ極性である。
【０００３】
しかし、こうした転写ローラを用いて良好な転写を行うためには、通常３ｋＶ以上の電圧（所要電流は数μＡ）を転写ローラに印加する必要があった。上述したような画像形成処理に必要とされる高電圧を生成するために、従来は巻線式の電磁トランスを使用していた。しかし、電磁トランスは、銅線，ボビン，磁芯で構成されており、上記のような仕様の画像形成装置に用いる場合は、出力電流値が数μＡという微小な電流のために、各部に於いて漏れ電流を最大限少なくしなければならなかった。そのため、トランスの巻線を絶縁物によりモールドする必要が有り、しかも供給電力に比較して大きなトランスを必要としたため、高圧電源装置の小型化・軽量化の妨げとなっていた。
【０００４】
そこで、これらの欠点を補うために、薄型で軽量の高出力の圧電トランスを用いて高電圧を発生させることが検討されている。すなわち、セラミックを素材とした圧電トランスを用いることにより、電磁トランス以上の効率で高電圧を生成する事が可能となり、しかも、一次側および二次側間の結合に関係なく一次側と二次側の電極間の距離を離す事が可能となるので特別に絶縁の為にモールド加工する必要がないため、高圧発生装置を小型・軽量にできるという優れた特性が得られている。
【０００５】
ここで、圧電トランス式高圧電源の従来例を、図８を用いて説明する。
【０００６】
ここに示す回路は高圧電源であり、１０１は高圧電源の圧電トランス（圧電セラミックトランス）である。圧電トランス１０１の出力はダイオード１０２、１０３及び高圧コンデンサ１０４によって正電圧に整流平滑され負荷である転写ローラ（不図示）に供給される。出力電圧は抵抗１０５、１０６、１０７によって分圧され、保護用抵抗１０８を介してオペアンプ１０９の非反転入力端子（＋端子）に入力される。他方オペアンプ１０９の反転入力端子（−端子）には抵抗１１４を介してＭＰＵ（マイクロコンピュータ）２０７からアナログ信号である高圧電源の制御信号（Ｖｃｏｎｔ）が入力される。
【０００７】
オペアンプ１０９と抵抗１１４とコンデンサ１１３を図８のように構成することにより、積分回路として機能しており、抵抗１１４とコンデンサ１１３の部品定数によって決まる積分時定数で鈍った制御信号Ｖｃｏｎｔがオペアンプ１０９に入力される。オペアンプ１０９の出力端子は電圧制御発振器（ＶＣＯ）１１０に接続され、その出力端子がインダクタ１１２に接続されたトランジスタ１１１を駆動することで、圧電トランス１０１の一次側に電源を供給する。
【０００８】
ここでオペアンプ１０９とその周辺回路は、一般的な積分回路を構成しており、その出力は、式で表すと次の通りである。
オペアンプ１０９の出力：Vo
コンデンサ１１３：C
抵抗１１４：R
オペアンプの+端子入力電圧（出力電圧Voutに対応）：Vi0
Ｖcont：Vi
とすると
V0＝Vi0-（1/RC）∫（Vi-Vi0）dt・・・＜式１＞となる。
【０００９】
図７は、従来例における立上げ制御のタイミングチャートである。
【００１０】
出力電圧０Ｖに対応する制御信号のレベルは、Ｖｃ０である。出力電圧Ｖｏｕｔ１が出力される制御信号のレベルは、Ｖｃ１である。このときの立ち上がり時間は、図７のＴ１となる。具体的な値を示すとＶｃ0は、0Ｖ、Ｖｃ１は、2.0Ｖ、Ｖｏｕｔ１は、2ｋＶ、Ｔ１は、約１２０ｍｓｅｃである。
【００１１】
図６は、従来例における紙間バイアスの転写高圧の制御タイミングチャートである。
【００１２】
Ｖｃ0は、0Ｖ、Ｖｃ１は、2.0Ｖ、Ｖｏｕｔ１は、2ｋＶで図７と同じであり、Ｖｃ３は、０.７Ｖ、Ｖｏｕｔ２は、０．３ｋＶ、Ｔ３は、１００ｍｓｅｃ、Ｔ４は、９０ｍｓｅｃである。
【００１３】
ＭＰＵ２０７は、プリント中の紙後端が転写位置を通過すると紙間バイアス（詳細は、後述する）に対応する制御信号ＶｃｏｎｔをＶｃ３に設定する。高圧電源の出力は、Ｔ３の時間後にＶｏｕｔ２となる。次のプリント紙の先端が転写位置に到達するＴ４の時間前にＭＰＵ２０７は、転写バイアスに対応する制御信号ＶｃｏｎｔをＶｃ１に設定する。そうすると高圧電源の出力は、Ｔ４の時間後にＶｏｕｔ１になる。
【００１４】
また、一般に圧電トランスの特性は、図３に示すような共振周波数ｆ０において出力電圧が最大となるような裾広がりな形状をしており、周波数による出力電圧の制御が可能である。圧電トランスの出力電圧を増加させる場合は、この圧電トランスの駆動周波数を高い方から低い方へ変化させることで可能となる。
【特許文献１】特開平１１−２０６１１３号公報
【発明の開示】
【発明が解決しようとする課題】
【００１５】
上記従来例の圧電トランス式高圧電源装置では、最小電圧を０Ｖ、最大電圧を３ｋＶとしたときに、高圧出力制御において０Ｖから３ｋＶまで立ち上げる場合は珍しく、例えば０Ｖから３００Ｖまで立ち上げる場合、１ｋＶから２ｋＶまで立ち上げる場合など、様々な電圧領域での制御が行われる。従って、様々な制御領域で常に速い立上げ、立下げを行えることが理想的な高圧電源に求められている。しかし、上記従来の高圧電源の構成を用いた場合は、下記に示すような問題が残る。
【００１６】
例えば、制御領域が共振周波数ｆ０よりも十分高い周波数領域内の場合は、制御時間が長くなり、出力電圧の立ち上りが鈍るために、制御を開始するタイミングを早くする必要があるので、画像形成装置では、プリントプロセスからの変更となり、結果としてスループットが長くなっていた。
【００１７】
また、帯電した感光ドラム３０５とＥＴＢ４０９の間に紙が無いときに感光ドラム３０５接触した際に転写バイアスの印加によって転写後の感光ドラム３０５上の電荷が除電され、再び１次帯電手段によって電位を元の状態まで戻すものの、転写バイアスが強い場合など、感光ドラム３０５上の電荷が大幅に除電された場合に感光ドラム３０５上の電位が完全には元に戻らない。その結果、転写バイアスが印加された履歴を持たない画像先端の感光ドラム３０５の１周分の領域と、それ以降の領域では帯電後の感光ドラム３０５の電位が異なる状態となり、同じ画像信号を感光ドラム３０５上に露光しても画像の濃度に差が出てしまうことを防止するために紙間バイアスを印加する。しかし、高圧電源の出力の立ち上がり、立ち下りに時間がかかってしまうと、紙間を開けプリントスピードを落とさなければならなかったり、紙間バイアスの効果が低くなっていた。
【００１８】
本発明は上記課題を解決するものであり、その目的は、制御周波数領域によらずに出力電圧の立ち上り、立ち下りの速い制御が可能な、画像形成装置に用いる圧電トランス式高圧電源装置を提供することにある。
【課題を解決するための手段】
【００１９】
上記目的を達成するため、本発明は、像担持体上に静電潜像を形成する潜像形成手段、静電潜像にトナー像を形成する現像手段、トナー像を転写材に転写する転写手段、トナー像を転写された被転写部材にトナーを加熱定着させる定着手段を備える画像形成装置において、圧電トランス、圧電トランス駆動周波数の発生手段、出力電圧設定手段、出力検出手段、及び出力検出手段からの信号ならびに出力電圧設定手段からの制御信号により出力電圧を制御する出力制御手段から成り、前記出力電圧設定手段の設定値に従って圧電トランス駆動周波数を制御可能な圧電トランス式高圧電源装置を具備し、
前記出力電圧設定手段は、出力電圧を設定する際に、出力電圧を設定する前後の差分より大きい値の出力電圧に一旦設定し、一定時間経過後に出力電圧を設定する前後の差分となる出力電圧を設定する制御手段を備えることを特徴とする。
【００２０】
また、像担持体上に静電潜像を形成する潜像形成手段、静電潜像にトナー像を形成する現像手段、トナー像を転写材に転写する転写手段、トナー像を転写された被転写部材にトナーを加熱定着させる定着手段を備える画像形成装置において、圧電トランス、圧電トランス駆動周波数の発生手段、出力電圧設定手段、出力検出手段、及び出力検出手段からの信号ならびに出力電圧設定手段からの制御信号により出力電圧を制御する出力制御手段から成り、前記出力電圧設定手段の設定値に従って圧電トランス駆動周波数を制御可能な圧電トランス式高圧電源装置を具備し、前記出力電圧設定手段は、出力電圧を設定する際に、出力電圧を設定する前後の差分より大きい値の出力電圧に一旦設定し、出力検出手段によって検出した出力電圧が前記目標値へ到達したときに、出力電圧を設定する前後の差分となる出力電圧を設定する制御手段を備えることを特徴とする。
【００２１】
さらに前記圧電トランス式高圧電源装置は、前記潜像形成手段、現像手段、転写手段に対し高圧電圧を印加することを特徴とする。
【発明の効果】
【００２２】
本発明によれば、安価で簡単な制御手段により、画像形成装置に用いる圧電トランス式高圧電源装置の高圧出力の立ち上り、立ち下り特性を飛躍的に向上させることが可能となる。
【発明を実施するための最良の形態】
【００２３】
（実施例１）
以下、本発明の一実施例を図面に基づいて説明する。従来例と同一の構成は、同一記号を付し、詳細な説明は、省略する。
【００２４】
図２は本実施例のカラーレーザプリンタの構成図である。
【００２５】
カラーレーザプリンタ４０１は記録紙３２を収納するデッキ４０２を有し、デッキ４０２内の記録紙３２の有無を検知するデッキ紙有無センサ４０３、デッキ４０１から記録紙３２を繰り出すピックアップローラ４０４、前記ピックアップローラ４０４によって繰り出された記録紙３２を搬送するデッキ給紙ローラ４０５、前記デッキ給紙ローラ４０５と対をなし、記録紙３２の重送を防止するためのリタードローラ４０６が設けられている。そして、デッキ給紙ローラ４０５の下流には記録紙３２を同期搬送するレジストローラ対４０７、前記レジストローラ対への記録紙３２の搬送状態を検知するレジ前センサ４０８が配設されている。
【００２６】
またレジストローラ対４０７の下流には静電吸着搬送転写ベルト（以下ＥＴＢと記す）４０９が配設されており、前記ＥＴＢ４０９上には後述する４色（イエローＹ、マゼンタＭ、シアンＣ、ブラックＢ）分のプロセスカートリッジ４１０Ｙ、４１０Ｍ、４１０Ｃ、４１０Ｂとスキャナユニット４２０Ｙ、４２０Ｍ、４２０Ｃ、４２０Ｂからなる画像形成部によって形成された画像が、転写ローラ４３０Ｙ、４３０Ｍ、４３０Ｃ、４３０Ｂによって順次重ね合わされてゆくことによりカラー画像が形成される。形成されたカラー画像は、記録紙３２上に転写され記録紙３２は下流に搬送される。下流には記録紙３２上に転写されたトナー像を熱定着するために内部に加熱用のヒータ４３２を備えた定着ローラ４３３と加圧ローラ４３４対、定着ローラからの記録紙３２を搬送するための、定着排紙ローラ対４３５、定着部からの搬送状態を検知する定着排紙センサ４３６が配設されている。
【００２７】
また、前記各スキャナユニット４２０には、後述するビデオコントローラ４４０から送出される各画像信号に基づいて変調されたレーザ光を発光するレーザユニット４２１、各レーザユニット４２１からのレーザ光を各感光ドラム３０５上に走査するためのポリゴンミラー４２２とスキャナモータ４２３、結像レンズ群４２４より構成されている。そして、前記各プロセスカートリッジ４１０には公知の電子写真プロセスに必要な感光ドラム３０５、帯電ローラ３０３と現像ローラ３０２、トナー格納容器４１１を備えており、レーザプリンタ４０１本体に対して着脱可能に構成されている。さらに、上記ビデオコントローラ４４０は、パーソナルコンピュータ等の外部装置４４１から送出される画像データを受け取るとこの画像データをビットマップデータに展開し、画像形成用の画像信号を生成する。
【００２８】
また、２０１はレーザプリンタ４０１の制御手段であるＤＣコントローラであり、ＲＡＭ２０７ａ、ＲＯＭ２０７ｂ、タイマ２０７ｃ、デジタル入出力ポート２０７ｄ、Ｄ／Ａポート２０７ｅを備えたＭＰＵ（マイクロコンピュータ）２０７、不揮発性記憶素子（ＥＥＰＲＯＭ）２０５及び各種入出力制御回路（不図示）等で構成されている。また、２０２は高圧電源（圧電トランス式高圧電源装置）であり、各プロセスカートリッジ４１０に対応した帯電高圧電源（不図示）、現像高圧電源（不図示）と、各転写ローラ４３０に対応した高圧を出力可能な圧電トランスを使用した転写高圧電源とで構成されている。
【００２９】
次に本実施例の圧電トランス式高圧電源の構成を図１に基づいて説明する。
【００３０】
なお、本発明に係わる高圧電源構成は、正電圧、負電圧どちらの出力回路に対しても有効であるため、ここでは代表的に正電圧を必要とする転写高圧電源について説明を行う。また、転写高圧電源は各転写ローラ４３０Ｙ、４３０Ｍ、４３０Ｃ、４３０Ｂに対応し、４回路設けられているものの、回路構成は各回路とも従来例と同じである。
【００３１】
ここで、圧電トランス１０１の駆動周波数に対する出力電圧の特性を図３に示す。
【００３２】
同図に示すように、共振周波数ｆ０において出力電圧が最大となり、周波数による出力電圧の制御が可能であることが判る。なお、規定出力電圧Ｅｄｃ出力時の駆動周波数をｆｘとする。また、電圧制御発振器（ＶＣＯ）１１０は入力電圧が上がると出力周波数は上がり、入力電圧が下がると出力周波数は下がるような動作を行うものとする。
【００３３】
この条件において、圧電トランス１０１の出力電圧Ｅｄｃが上がると、抵抗１０５を介してオペアンプ１０９の非反転入力端子（＋端子）の入力電圧Ｖｓｎｓも上がり、オペアンプ１０９の出力端子の電圧は上がる。つまり、電圧制御発振器（ＶＣＯ）１１０の入力電圧が上がるので、圧電トランス１０１の駆動周波数も上がる。従って、圧電トランス１０１は駆動周波数ｆｘより少し高い周波数で駆動され、この駆動周波数が上がることにより圧電トランス１０１の出力電圧が下がるため、その結果、出力電圧を下げる方向に制御が行われることとなる。すなわち、この回路は、負帰還制御回路を構成している。
【００３４】
一方、出力電圧Ｅｄｃが下がると、オペアンプ１０９の入力電圧Ｖｓｎｓも下がり、オペアンプ１０９の出力端子の電圧は下がる。つまり、電圧制御発振器（ＶＣＯ）１１０の入力電圧が下がるので、圧電トランス１０１の駆動周波数も下がり、その結果、圧電トランス１０１は出力電圧を上げる方向に制御が行われることとなる。このように、オペアンプ１０９の反転入力端子（−端子）に入力されるＭＰＵ２０７からの制御信号（Ｖｃｏｎｔ）の電圧（制御電圧：以下、この制御電圧もＶｃｏｎｔで表す）で決定される電圧に等しくなるよう、出力電圧が定電圧制御される。
【００３５】
ここで、本実施例の特徴である、ＭＰＵ２０７から高圧電源の制御信号（Ｖｃｏｎｔ）の設定電圧変更シーケンスについて図１のタイミングチャートを用いて詳細に説明する。
【００３６】
まず、本実施例における転写高圧電源の制御に使う具体的な値を示す。
【００３７】
Ｖｃ0は、0Ｖ、Ｖｃ１は、2.0Ｖ、Ｖｏｕｔ１は、2ｋＶで従来例と同じであり、Ｖｃ２は、3.0Ｖ、Ｔ２は、８０ｍｓｅｃである。
【００３８】
次にシーケンスを説明する。まず、ＭＰＵ２０７は、予め工場出荷時にＥＥＰＲＯＭ２０５に記録しておいた出力立ち上がり時間のテーブルからＴ２の値を計算する。次に高圧の出力を得たいタイミングよりＴ２前のタイミングで制御信号ＶｃｏｎｔにＶｃ２を設定する。そうすると従来例の式１内の（Vi-Vi0）の値がＶｃ１を設定したときより、大きくなる。そして、出力電圧は、急峻に立ち上がる。Ｖｃ２を設定して、Ｔ２の時間が経過した後、ＭＰＵ２０７は、Ｖｃ１を設定する。
【００３９】
これまでの説明は、転写高圧電源を説明した。しかし、その他の高圧出力も同様に制御する。
【００４０】
本実施例では、積分回路に一旦高い電圧を与え、一定時間経過後に所望の電圧に落とすことにより、高圧出力の立ち上り動作を早くできる制御を可能とした。
【００４１】
なお、画像形成装置の説明を、タンデム方式のカラー画像形成装置を例に説明した。しかしながら、高圧バイアスを用いた画像形成装置であれば本発明の適用範囲である。
【００４２】
また、Ｔ２の時間は、テーブルであると説明した。しかし、ＥＥＰＲＯＭ２０５に記録しておくデータは、Ｔ２が推定できる一点でも良いし、計算式の定数でも良いことは、言うまでもない。
【００４３】
（実施例２）
実施例１では圧電トランス式高圧電源における制御の立ち上り特性を向上することのできる実施例を説明した。しかし、高圧出力制御においては、立ち上り特性と共に立ち下り特性も向上させる必要がある場合もある。このことを鑑みて、本実施例２では、立ち上り特性と立ち下り特性の両方を向上させることのできる圧電トランス式高圧電源の制御シーケンスについて図４を参照し説明する。なお、従来例と実施例１と同様の構成に関しては、同一記号を付し、その説明を省略する。本実施例で説明する高圧電源は、前述した転写バイアスの紙間バイアス制御である。
【００４４】
図４は本実施例の圧電トランス式高圧電源の紙間制御シーケンスを示す図である。
【００４５】
本実施例と実施例１との主たる相違点は、連続プリントする際の紙の間隔で紙間バイアスであるＶｏｕｔ１より低い電圧（Ｖｏｕｔ２）を印加する際の制御シーケンスである。
【００４６】
まず、本実施例における転写高圧電源の制御に使う具体的な値を示す。
【００４７】
Ｖｃ0は、0Ｖ、Ｖｃ１は、2.0Ｖ、Ｖｏｕｔ１は、2ｋＶ、Ｖｃ２は、3.0Ｖ、Ｖｃ３は、０.７Ｖ、Ｖｏｕｔ２は、０．３ｋＶ、Ｔ５は、７０ｍｓｅｃ、Ｔ６は、６０ｍｓｅｃである。
【００４８】
ＭＰＵ２０７は、プリント中の紙後端が転写位置を通過すると一旦Ｖｃ０に設定する。実施例１と同じ理論により、出力電圧は、Ｔ５の時間でＶｏｕｔ２のレベルまで低下する。次にＭＰＵ２０７は、紙間バイアスに対応する制御信号ＶｃｏｎｔをＶｃ３に設定する。高圧電源の出力は、Ｖｏｕｔ２となる。次のプリント紙の先端が転写位置に到達するＴ６の時間前にＭＰＵ２０７は、一旦Ｖｃ２に設定する。出力電圧は、Ｔ６の時間でＶｏｕｔ１のレベルまで上昇する。次にＭＰＵ２０７は、転写バイアスに対応する制御信号ＶｃｏｎｔをＶｃ１に設定する。そうすると高圧電源の出力は、Ｖｏｕｔ１になる。Ｔ５及びＴ６の時間は、実施例１と同様、ＥＥＰＲＯＭ２０５に記録しておく。
【００４９】
以上のように、立ち上り及び立ち下りの両方の動作において、一旦目標とする制御電圧との差が大きくなるように制御信号レベルを設定し、短時間で出力電圧を目標とする制御電圧に近づけることにより、紙間バイアスの立ち上がり、立下りを急峻に行い理想的な制御を可能とした。
【００５０】
（実施例３）
以下、本発明の第３実施例を図５に基づいて説明する。
【００５１】
本実施例と実施例１及び実施例２との主たる相違点は、Ｖｏｕｔを抵抗１０５と抵抗１０７で分圧したレベルをモニタできるフィードバック信号ＶｓｎｓをＭＰＵ２０７のＡ／Ｄ入力に接続している点である。
【００５２】
このような構成とし、電源投入時の画像形成装置の初期化動作のときにＴ６の特性データを記憶し、Ｔ２、Ｔ５は、Ｖｓｎｓ信号をモニタしてＶｃｏｎｔを制御することにより、Ｔ２、Ｔ５、Ｔ６のデータをＥＥＰＲＯＭ２０５に記憶することなく、万一環境や経時変化でＴ２、Ｔ５、Ｔ６が変動した場合でも立ち上がり動作と立ち下り動作の両方に対して制御信号Ｖｃｏｎｔに応じた理想的な制御を可能とした。
【図面の簡単な説明】
【００５３】
【図１】本発明の実施例１に係る、タイミングチャートである。
【図２】同実施例に係る、カラーレーザプリンタの構成図である。
【図３】圧電トランスの駆動周波数に対する出力電圧の特性を表す図である。
【図４】本発明の実施例２に係る、タイミングチャートである。
【図５】本発明の実施例３に係る、圧電トランス式高圧電源の回路図である。
【図６】従来例に係る、紙間バイアス制御のタイミングチャートである。
【図７】従来例に係る、立上げ制御のタイミングチャートである。
【図８】従来例に係る、圧電トランス式高圧電源の回路図である。
【符号の説明】
【００５４】
１０１  圧電トランス
１０２，１０３  ダイオード
１０４  高圧コンデンサ
１０５，１０６，１０７，１１４  抵抗
１０８  保護用抵抗
１０９  オペアンプ
１１０  電圧制御発振器（ＶＣＯ）
１１１  トランジスタ
１１２  インダクタ
１１３  コンデンサ
２０１  ＤＣコントローラ
２０２  高圧電源（圧電トランス式高圧電源装置）
２０５  ＥＥＰＲＯＭ（不揮発性記憶素子）
２０７  ＭＰＵ（マイクロコンピュータ）
４０１  カラーレーザプリンタ（画像形成装置）
【図１】
2008224861.tif 000003
【図２】
2008224861.tif 000004
【図３】
2008224861.tif 000005
【図４】
2008224861.tif 000006
【図５】
2008224861.tif 000007
【図６】
2008224861.tif 000008
【図７】
2008224861.tif 000009
【図８】
2008224861.tif 000010